(57)【要約】【課題】メンテナンス性を向上させた自走式掃除機を提供する。【解決手段】各種の構成要素（図示せず）を搭載するボディ１０と、ボディ１０に取付けられ底面に吸込口５０を有するフロントボディ２と、吸込口５０に配置される回転ブラシ２１と、回転ブラシ２１により巻き上げられたごみを捕集する第一集じんユニット３５と、回転ブラシ２１の回転軸（図示せず）を支持すると共に第一集じんユニット３５を連結するブラシカバー２２と、吸引したごみを捕集する第二集じんユニット４０と、第一集じんユニット３５と第二集じんユニット４０を連結する接続パイプ２８とを備え、回転ブラシ２１を本体上方から取り外し可能に設けたもので、回転ブラシ２１のメンテナンス性を向上させることができる。【選択図】図４
2019037492.tif 000002
【特許請求の範囲】
【請求項１】
各種の構成要素を搭載するボディと、前記ボディに取付けられ底面に吸込口を有するフロントボディと、前記吸込口に配置される回転ブラシと、前記回転ブラシにより巻き上げられたごみを捕集する第一集じんユニットと、前記回転ブラシの回転軸を支持すると共に前記第一集じんユニットを連結するブラシカバーと、吸引したごみを捕集する第二集じんユニットと、前記第一集じんユニットと前記第二集じんユニットを連結する接続パイプとを備え、前記回転ブラシを本体上方から取り外し可能に設けた自律走行型掃除機。
【請求項２】
ブラシカバーの上方に構造物を配置せず開放空間を作ることを特徴とする請求項１に記載の自律走行型掃除機。
【請求項３】
フロントボディに搭載されている全ての構造物を本体上方に取り外せることを特徴とする請求項１又は２に記載の自律走行型掃除機。
【請求項４】
ブラシカバーと第一集じんユニットを一体化したことを特徴とする請求項１〜３のいずれか１項に記載の自律走行型掃除機。
【発明の詳細な説明】
【技術分野】
【０００１】
本発明は、自律走行型掃除機に関するものである。
【背景技術】
【０００２】
従来の自律走行型掃除機は、各種の構成要素を搭載するボディと、ボディに形成される吸込み口に配置され清掃面上に存在するごみを集める回転ブラシと、ごみを捕集する集じん室および、回転ブラシから集じん室へ繋がる接続パイプを備えている。回転ブラシは、駆動輪後方の本体後部端に配置され、回転ブラシの修理・メンテナンスを行う際は、本体の後方部底近傍から回転ブラシを着脱する構成になっている（例えば、特許文献１参照）。
【先行技術文献】
【特許文献】
【０００３】
【特許文献１】特開平６−１２５８６１号公報
【発明の概要】
【発明が解決しようとする課題】
【０００４】
しかしながら、上述した特許文献１に記載された従来の自律走行型掃除機の構成では、回転ブラシを交換する場合、回転ブラシ上方には集じん室や集じん室に繋がる接続パイプが配置されているため回転ブラシを容易に取り外すことはできず、本体底面近傍で低姿勢の状態になって取り外し作業を行う必要があり、メンテナンス性が非常に悪いという課題があった。
【０００５】
本発明は、このような従来の課題を解決するもので、回転ブラシを本体上方から取り外し可能な構造にすることで、修理・メンテナンス性を向上させた自律走行型掃除機を提供することを目的とする。
【課題を解決するための手段】
【０００６】
上記従来の課題を解決するために、本発明の自律走行型掃除機は、各種の構成要素を搭載するボディと、前記ボディに取付けられ底面に吸込口を有するフロントボディと、前記吸込口に配置される回転ブラシと、前記回転ブラシにより巻き上げられたごみを捕集する第一集じんユニットと、前記回転ブラシの回転軸を支持すると共に前記第一集じんユニットを連結するブラシカバーと、吸引したごみを捕集する第二集じんユニットと、前記第一集じんユニットと前記第二集じんユニットを連結する接続パイプとを備え、前記回転ブラシを本体上方から取り外し可能に設けたもので、前記回転ブラシのメンテナンス性を向上させることができる。
【発明の効果】
【０００７】
本発明の自律走行型掃除機は、本体上方から回転ブラシの修理・メンテナンスを容易に行うことができる。
【図面の簡単な説明】
【０００８】
【図１】本発明の実施の形態１における自律走行型掃除機の右側面図
【図２】同自律走行型掃除機の底面図
【図３】同自律走行型掃除機の斜視図
【図４】図２のＡ−Ａ断面図
【図５】同自律走行型掃除機の構造展開図
【図６】同自律走行型掃除機の第一集じんユニットの構造を示す展開図
【図７】同自律走行型掃除機の第二集じんユニットの構造展開図
【発明を実施するための形態】
【０００９】
第１の発明は、各種の構成要素を搭載するボディと、前記ボディに取付けられ底面に吸込口を有するフロントボディと、前記吸込口に配置される回転ブラシと、前記回転ブラシにより巻き上げられたごみを捕集する第一集じんユニットと、前記回転ブラシの回転軸を支持すると共に前記第一集じんユニットを連結するブラシカバーと、吸引したごみを捕集する第二集じんユニットと、前記第一集じんユニットと前記第二集じんユニットを連結する接続パイプとを備え、前記回転ブラシを本体上方から取り外し可能に設けたもので、前記回転ブラシのメンテナンス性を向上させることができる。
【００１０】
第２の発明は、特に、第１の発明のブラシカバーの上方に構造物を配置せず開放空間を作るもので、前記ブラシカバーと前記フロントボディを固定しているストッパーを外すことにより、回転ブラシを本体上方へ取り外すことができる。
【００１１】
第３の発明は、特に、第１又は第２の発明のフロントボディに搭載されている全ての構造物を本体上方に取り外せるようにしたもので、回転ブラシのメンテナンスを容易に行うことができる。
【００１２】
第４の発明は、特に、第１〜３のいずれか一つの発明のブラシカバーと第一集じんユニットを一体化したもので、第一集じんユニットで捕集したごみを廃棄するために第一集じんユニットを取り外すと、ごみの廃棄と同時に回転ブラシのメンテナンスもすることができ、使用勝手が向上する。
【００１３】
以下、本発明の実施の形態について、図面を参照しながら説明する。なお、この実施の形態によって本発明が限定されるものではない。
【００１４】
（実施の形態１）
図１は、本発明の実施の形態１における自律走行型掃除機の右側面図、図２は、同自律走行型掃除機の底面図、図３は、同自律走行型掃除機の斜視図、図４は、図２のＡ−Ａ断面図、図５は、同自律走行型掃除機の構造展開図、図６は、同自律走行型掃除機の第一集じんユニットの構造を示す展開図、図７は、同自律走行型掃除機の第二集じんユニットの構造展開図である。
【００１５】
以下では、本実施の形態における自律走行型掃除機１およびその構成要素（構成部品）の説明に関し、便宜上、図１における左側を正面（先端）側、右側を背面（後端）側、上側を上面（上）側、下側を底面（下）側、手前を右側、奥を左側として説明する。
【００１６】
図１に示すように、自律走行型掃除機１は対象領域の清掃面上を自律的に走行し、清掃面上に存在するごみを吸引するロボット型の掃除機であり、複数の構造的な機能ブロックを備える。対象領域の一例は部屋であり、清掃面の一例は部屋の床面である。
【００１７】
自律走行型掃除機は、バッテリーを電源として走行し、集じんする。ビルや商業施設等で稼動させ、大きい面積を清掃するには走行モーター、集じんの吸引モーター、ブラシモーターを省電力で稼動させる必要がある。そのため、異物等を含めて吸引風のみで集じん部へ搬送させることができず、ブラシのかき上げ、跳ね上げ作用で回収する第一集じん部と、埃を回収、蓄積する第二集じん部に分離する構成が優れている。
【００１８】
以下に、図１〜７を用いて本実施の形態における自律走行型掃除機について詳述する。
【００１９】
本実施の形態における自律走行型掃除機１は、各種の構成要素を搭載するボディ１０と、対象領域に存在するごみを集める清掃ユニット２０と、ごみをボディ１０の内部に吸引する吸引ユニット４５を備えている。自律走行型掃除機１はさらに、吸引ユニット４５により吸引されたごみを捕集する第一集じんユニット３５と、第一集じんユニット３５、清掃ユニット２０、後述する駆動ユニット３０、吸引ユニット４５を制御する制御ユニット２５および、各、清掃ユニット２０、制御ユニット２５、駆動ユニット３０、吸引ユニット４５等に電力を供給する電源バッテリー３２を備える。
【００２０】
一対の駆動ユニット３０は、ボディ１０の幅方向の中心に対して右側に配置される右側の駆動ユニット３０、および、ボディ１０の幅方向の中心に対して左側に配置される左側の駆動ユニット３０である。なお、一方の駆動ユニット３０が第１の駆動ユニットであり、他方の駆動ユニット３０が第２の駆動ユニットである。また、自律走行型掃除機１の幅方向である左右方向は自律走行型掃除機１の前進方向を基準に規定される。
【００２１】
自律走行型掃除機１の駆動方式は対向二輪型であり、右側の駆動ユニット３０と左側の駆動ユニット３０とがボディ１０の幅方向において対向して配置される。
【００２２】
ボディ１０は本体前方および後方に前方キャスター１４、後方キャスター１２を備える。駆動ユニット３０が旋回運動する際は前方キャスター１４、後方キャスター１２も連動し回転する。
【００２３】
図２に示されるとおり、ボディ１０は、ごみをボディ１０の内部に吸引するための吸込口５０をさらに備える。吸込口５０は、フロントボディ２の底面に形成される。
【００２４】
吸込口５０の長手方向の寸法である吸込口５０の幅は、右側の駆動ユニット３０と左側の駆動ユニット３０との内側の間隔よりも広い。この幅の設定形態は、より広い吸込口５０の幅を確保し、清掃ユニット２０により吸引されるごみの量を増加させることに寄与する。
【００２５】
図４に示されるとおり、清掃ユニット２０は、フロントボディ２の内部および外部に配置され、複数の要素を備える。一例によれば清掃ユニット２０は、フロントボディ２の内部に配置される回転ブラシ駆動モーター３６およびタイミングベルト３７、および、フロントボディ２の吸込口５０に配置される回転ブラシ２１を備える。
【００２６】
タイミングベルト３７は、回転ブラシ駆動モーター３６の出力軸（図示せず）および回転ブラシ２１に接続され、回転ブラシ駆動モーター３６のトルクを回転ブラシ２１に伝達する。
【００２７】
回転ブラシ２１は、吸込口５０の長手方向の寸法とおおよそ同じ長さを有し、フロントボディ２に対して回転できるように軸受部（図示せず）により支持され、例えばごみをボディ１０の前方側に回転する。
【００２８】
自律走行型掃除機１のフロントボディ２の前方底面にはサイドブラシ３が配置され、この構成によれば、対象領域の角部に存在するごみがフロントボディ２の吸込口５０に集められる。このため、自律走行型掃除機１の角清掃能力がより高められる。
【００２９】
図５に示される電源バッテリー３２は、ボディ１０の前後方向の中心よりも後方側に配置され、さらに吸引ユニット４５よりも前方側に配置される。
【００３０】
電源バッテリー３２は、第一集じんユニット３５と第二集じんユニット４０の間に施錠により固定され、解錠することで着脱可能となる。
【００３１】
図６に示されるとおり、第一集じんユニット３５はフロントボディ２の内部において回転ブラシ２１の後方側かつ吸引ユニット４５の前方側に配置され、さらに一対の駆動ユニット３０の間に配置される。
【００３２】
図６に示されるとおり、第一集じんユニット３５はフロントボディ２の内部に配置され、上面方向に取り外し可能な着脱構造を備える。第一集じんユニット３５と、ブラシカバー２２は、着脱により一体化することができ、第一集じんユニット３５に捕集されたごみを廃棄する際は、本体上面方向に抜き出して行い、同時に、ブラシカバー２２の開口面から回転ブラシ２１のメンテナンスを行うことができる。
【００３３】
本実施の形態では、図４、５に示すようにボディ１０のブラシカバー２２の上方に位置する部分に開閉自在のカバー４が設けられている。
【００３４】
ブラシカバー２２は回転ブラシ２１の上部を覆うように配置されると共に、回転ブラシ２１の回転軸（図示せず）を回転自在に支持する。
【００３５】
ブラシカバー２２の上部には構造物が配置されず、開放空間となっている。このため、カバー４を開けることによりブラシカバー２２を本体上方へ容易に取り外すことができる。ブラシカバー２２は、フロントボディ２の上部にストッパー３４により固定され配置している。ストッパー３４を外すことでブラシカバー２２は着脱可能となり、回転ブラシ２１のメンテナンスを本体上面から行うことができる。
【００３６】
図７に示されるとおり、吸引ユニット４５はボディ１０の内部に配置され、複数の要素を備える。一例によれば吸引ユニット４５は、第二集じんボックス４１の上方側に配置され、第二集じんボックス４１に取り付けられるファンケース４７および、ファンカバー４８の内部に配置される。
【００３７】
吸引ユニット４５は、第二集じんユニット４０および、第一集じんユニット３５の内部の空気を吸引し、吸引ユニット４５の周方向の外方に空気を吐出する。吸引ユニット４５から吐出された空気は、ファンカバー４８内部の空間を通過し、ボディ１０の外部に排気される。
【００３８】
第二集じんユニット４０は、前方に第一集じんユニット３５を配置し、接続パイプ２８によって第一集じんユニット３５と連結される。第二集じんユニット４０の役割は、吸引ユニット４５の吸引によって集めたごみを第二集じんボックス４１に捕集することである。
【００３９】
第二集じんユニット４０の内部には、紙パック（図示せず）等が配置され、吸引したごみの捕集を行う。内部に配置された紙パック等は、背面のリアカバー３９を取り外すことで着脱が可能となる。
【００４０】
また、フロントボディ２に搭載されている全ての構造物を本体上方に取り外せるようにしておけば、回転ブラシ２１のメンテナンスをより容易に行えることは言うまでもない。
【産業上の利用可能性】
【００４１】
本発明に係る自律走行型掃除機は、本体上方から回転ブラシの修理・メンテナンスを極めて容易に行うことができるもので、自律走行型掃除機に限らず、下方に回転ブラシを有
する各種機器に適用できる。
【符号の説明】
【００４２】
１  自律走行型掃除機
２  フロントボディ
３  サイドブラシ
４  カバー
１０  ボディ
１２  後方キャスター
１４  前方キャスター
２０  清掃ユニット
２１  回転ブラシ
２２  ブラシカバー
２５  制御ユニット
２８  接続パイプ
３０  駆動ユニット
３２  電源バッテリー
３４  ストッパー
３５  第一集じんユニット
３６  回転ブラシ駆動モーター
３７  タイミングベルト
３９  リアカバー
４０  第二集じんユニット
４１  第二集じんボックス
４５  吸引ユニット
４７  ファンケース
４８  ファンカバー
５０  吸込口
【図１】
2019037492.tif 000003
【図２】
2019037492.tif 000004
【図３】
2019037492.tif 000005
【図４】
2019037492.tif 000006
【図５】
2019037492.tif 000007
【図６】
2019037492.tif 000008
【図７】
2019037492.tif 000009